(57)【特許請求の範囲】
【請求項１】
後加工機と接続され、印刷ジョブを処理する画像形成装置であって、
前記印刷ジョブを解析する解析手段と、
前記解析手段による解析に従って、印刷物の部と部との間に仕切り紙が挿入され、かつ、複数部の印刷物を含む後加工単位にシフト処理が適用された印刷物を出力する出力制御手段を有し、
前記印刷物と前記仕切り紙との両者に後加工機による後加工処理が適用される場合、前記出力制御手段は、当該仕切り紙よりも小さいサイズの仕切り紙に変更することを特徴とする画像形成装置。
【請求項２】
前記後加工機は印刷物に対して穴を空ける穿孔機であることを特徴とする請求項１に記載の画像形成装置。
【請求項３】
１部分の印刷物の出力枚数から後加工単位分を除いた枚数が、後加工単位の用紙枚数を満たさない場合、前記出力制御手段は、１部分の印刷物の出力枚数から後加工単位分を除いた枚数に対してシフト処理を適用することを特徴とする請求項１または２に記載の画像形成装置。
【請求項４】
前記印刷ジョブによって出力される１部分の出力枚数が前記後加工機が後処理を実行できる後加工単位の出力枚数よりも少なく、かつ、前記印刷ジョブによって出力される１部分の出力枚数と前記後加工機が後処理を実行できる後加工単位の出力枚数との差異が特定の条件を満たす場合、前記出力制御手段は、特定の後加工単位に続く後加工単位の印刷物について反転処理を適用することにより出力することを特徴とする請求項１乃至３のいずれか１項に記載の画像形成装置。
【請求項５】
後加工機と接続され、印刷ジョブを処理する制御方法であって、
前記印刷ジョブを解析する解析工程と、
前記解析工程による解析に従って、印刷物の部と部との間に仕切り紙が挿入され、かつ、複数部の印刷物を含む後加工単位にシフト処理が適用された印刷物を出力する出力制御工程を有し、
前記印刷物と前記仕切り紙との両者に後加工機による後加工処理が適用される場合、前記出力制御工程は、当該仕切り紙よりも小さいサイズの仕切り紙に変更することを特徴とする制御方法。
【請求項６】
前記後加工機は印刷物に対して穴を空ける穿孔機であることを特徴とする請求項５に記載の制御方法。
【請求項７】
１部分の印刷物の出力枚数から後加工単位分を除いた枚数が、後加工単位の用紙枚数を満たさない場合、前記出力制御工程は、１部分の印刷物の出力枚数から後加工単位分を除いた枚数に対してシフト処理を適用することを特徴とする請求項５または６に記載の制御方法。
【請求項８】
前記印刷ジョブによって出力される１部分の出力枚数が前記後加工機が後処理を実行できる後加工単位の出力枚数よりも少なく、かつ、前記印刷ジョブによって出力される１部分の出力枚数と前記後加工機が後処理を実行できる後加工単位の出力枚数との差異が特定の条件を満たす場合、前記出力制御工程は、特定の後加工単位に続く後加工単位の印刷物について反転処理を適用することにより出力することを特徴とする請求項５乃至７のいずれか１項に記載の制御方法。
【請求項９】
後加工機と接続され、印刷ジョブを処理する画像形成装置において読み込み可能な制御プログラムであって、
前記印刷ジョブを解析する解析工程と、
前記解析工程による解析に従って、印刷物の部と部との間に仕切り紙が挿入され、かつ、複数部の印刷物を含む後加工単位にシフト処理が適用された印刷物を出力する出力制御工程とを前記画像形成装置に実行させ、
前記印刷物と前記仕切り紙との両者に後加工機による後加工処理が適用される場合、前記出力制御工程は、当該仕切り紙よりも小さいサイズの仕切り紙に変更することが可能なコンピュータが読み取り可能な制御プログラム。
【発明の詳細な説明】
【技術分野】
【０００１】
本発明は、画像形成装置での印刷出力時に、次工程のニアラインやオフラインの後加工機での後加工処理の単位でのシフト排紙を可能とする画像形成装置及び画像形成装置の制御方法ならびに画像形成装置の制御方法を実行するプログラムに関するものである。
【背景技術】
【０００２】
従来より、印刷出力成果物を得るために、印刷機での出力後にオペレータが記録紙束を印刷機とは離れた後加工機（フィニッシャ）に搬送し、後加工機が後加工処理を実行している。
【０００３】
また、印刷機で同時に複数部数の印刷を行う際に、部の区切りを判別可能とするために、印刷機が部単位にシフトしながら出力することが可能である。
【０００４】
さらに、印刷出力時に紙束を区切る技術として、インラインの製本フィニッシャの上限枚数を超過しないように印刷ジョブ自体を分割する技術が特許文献１に開示されている。
【特許文献１】特開２００１−３０５８４号公報
【発明の開示】
【発明が解決しようとする課題】
【０００５】
しかしながら、上述した従来の技術では、後続のニアラインやオフラインの後加工機の処理単位に応じたシフト排紙が出来なかった。そのため、オペレータが印刷出力された記録紙束を後加工機に設置する際に手作業で仕分けるか、後加工の処理単位に応じた枚数を計算して印刷装置の操作部にてシフト単位をマニュアルで設定する必要があった。これらの操作は、オペレータに対して、後加工機に対する知識や印刷装置の応用設定が求められ、熟練が必要とされるという課題があった。
【０００６】
ここで、特許文献１の技術を用いることで、インラインの製本フィニッシャの上限枚数を超過しないようにジョブ自体を分割することはできる。しかしながら、印刷機とは離れた後続のニアラインやオフラインの後加工機については一切考慮されておらず、やはりユーザの仕分け作業が必要となる。
【課題を解決するための手段】
【０００７】
上記課題を解決するために本願は、後加工機と接続され、印刷ジョブを処理する画像形成装置であって、前記印刷ジョブを解析する解析手段と、前記解析手段による解析に従って、印刷物の部と部との間に仕切り紙が挿入され、かつ、複数部の印刷物を含む後加工単位にシフト処理が適用された印刷物を出力する出力制御手段を有し、前記印刷物と前記仕切り紙との両者に後加工機による後加工処理が適用される場合、前記出力制御手段は、当該仕切り紙よりも小さいサイズの仕切り紙に変更することを特徴とする。
【発明の効果】
【０００８】
本願発明によれば、後加工単位に識別可能に出力されるのでオペレータは容易に印刷物を後加工機にセットすることが可能となる。
【発明を実施するための最良の形態】
【０００９】
以下、本発明の実施の形態を、図面を参照しながら詳細に説明する。
【実施例１】
【００１０】
本実施例では、本発明の代表的な実施形態における画像形成装置の一例を説明する。
【００１１】
図１は、本発明の代表的な実施形態における画像形成装置を含む画像形成システムの全体構成図である。同図は、本発明の代表的な実施形態における画像形成装置として機能する印刷装置１０２、ニアライン後加工機１０３、作業ＰＣ１０５、がネットワーク１０１を介して接続されている。また、オフライン後加工機１０４も存在している。
【００１２】
印刷装置１０２は、スキャン、プリント、コピー、ボックスなど様々な機能を有する画像形成装置（Ｍｕｌｔｉ  Ｆｕｎｃｔｉｏｎ  Ｐｅｒｉｐｈｅｒａｌ：以下、ＭＦＰと表記する。）である。ＭＦＰには白黒ＭＦＰとカラーＭＦＰとが存在し、それぞれでスピードやコストなどが異なるため、それぞれの用途に応じて使い分けられる。印刷装置１０２には、様々なオプション機器がインライン接続される。オプション機器の例としては、排紙した用紙を大量に収容するスタッカ、給紙する用紙を大量に蓄えておくペーパーデッキ、など様々存在する。
【００１３】
ニアライン後加工機１０３は、印刷装置１０２より出力された記録紙に対して、後加工処理を実行する。オペレータは、印刷装置１０２より出力された記録紙束をニアライン後加工機１０３に搬送し、ニアライン後加工機１０３の給紙口に記録紙束を設置する。そして、ニアライン後加工機１０３は、作業ＰＣ１０５もしくは印刷装置１０２からのネットワーク１０１を介して送られた作業指示に従って、後加工処理を実行する。
【００１４】
オフライン後加工機１０４は、印刷装置１０２より出力された記録紙に対して、後加工処理を実行する役割を果たす。オフライン後加工機１０４は、ネットワーク１０１には接続されていない。そのため、オペレータのマニュアル操作によりデバイス制御が行われる。オペレータは、印刷装置１０２より出力された記録紙束をオフライン後加工機１０４に搬送し、オフライン後加工機１０４の給紙口に記録紙を設置する。続けてオペレータが、オフライン後加工機１０４の操作部にて後加工設定を設定することにより仕上げ処理が実行される。
【００１５】
つまり、ニアライン後加工機およびオフライン後加工機は、印刷装置とは用紙パスが接続されていない点で共通する。その一方で、ニアライン後加工機は印刷装置とネットワークを介して接続されているが、オフライン後加工機は印刷装置と接続されていない点が異なる。
【００１６】
ニアライン後加工機１０３とオフライン後加工機１０４の具体例としては、穿孔機、折り機、ステープラ、製本機などが挙げられるが、後加工を行う機器であれば他の種類であっても構わない。
【００１７】
なお、ニアライン後加工機１０３とオフライン後加工機１０４は図１では一台ずつの構成としているが、どちらか片方でも構わないし、それぞれ複数台存在していても構わない。また、複数台の後加工機を組み合わせて１つの後加工を行う場合であっても構わない。
【００１８】
作業ＰＣ１０５は、ネットワーク接続手段を備え、ＣＰＵ、ＲＯＭ、ＲＡＭ、ＨＤＤ等で構成される一般的な情報処理装置（コンピュータ）である。作業ＰＣ１０５は、入力されたアプリケーションファイルの編集、印刷指示を行う役割の他、インターネット閲覧手段を介して印刷装置１０２やニアライン後加工機１０３のパラメータの取得や設定などの管理を行う役割も担っている。
【００１９】
ネットワーク１０１は、本実施形態ではＬＡＮ（Ｌｏｃａｌ  Ａｒｅａ  Ｎｅｔｗｏｒｋ）を例に説明するが、インターネット等の他のネットワークシステムであってもかまわない。
【００２０】
図２は、本発明の実施の形態に係る画像形成装置として機能する印刷装置１０２の内部の構造を説明するものである。ＭＦＰには、フルカラー機器とモノクロ機器があり、色処理や内部データなどを除いて、基本的な部分において、フルカラー機器がモノクロ機器の構成を包含する事が多いため、ここではフルカラー機器を主に説明することとする。
【００２１】
１Ｄカラー系のＭＦＰである印刷装置１０２は、スキャナ部２０１、レーザ露光部２０２、感光ドラム、作像部２０３、定着部２０４、給紙／搬送部２０５及び、これらを制御する後述するＭＦＰ制御部３００などから構成される。
【００２２】
スキャナ部２０１は、原稿台に置かれた原稿に対して、照明を当てて原稿画像を光学的に読み取り、その像を電気信号に変換して画像データを作成する。
【００２３】
レーザ露光部２０２は、前記画像データに応じて変調されたレーザ光などの光線を等角速度で回転する回転多面鏡（ポリゴンミラー）に入射させ、反射走査光として感光ドラムに照射する。
【００２４】
作像部２０３は、感光ドラムを回転駆動し、帯電器によって帯電させ、前記レーザ露光部によって感光ドラム上に形成された潜像をトナーによって現像化する。そして、そのトナー像をシートに転写し、その際に転写されずに感光ドラム上に残った微小トナーを回収するといった一連の電子写真プロセスを実行して作像する。その際、シートが転写ベルトの所定位置に巻きつき、４回転する間に、マゼンタ（Ｍ）、シアン（Ｃ）、イエロー（Ｙ）、ブラック（Ｋ）のトナーを持つそれぞれの現像ユニット（現像ステーション）が入れ替わりで順次前述の電子写真プロセスを繰り返し実行する。４回転の後、４色のフルカラートナー像を転写されたシートは、転写ドラムを離れ、定着部２０４へ搬送される。
【００２５】
定着部２０４は、ローラやベルトの組み合わせによって構成され、ハロゲンヒータなどの熱源を内蔵し、前記作像部２０３によってトナー像が転写されたシート上のトナーを、熱と圧力によって溶解、定着させる。
【００２６】
給紙／搬送部２０５は、シートカセットやペーパーデッキやスタックトレイに代表されるシート収納庫を一つ以上持っており、ＭＦＰ制御部３００の指示に応じてシート収納庫に収納された複数のシートの中から一枚分離し、作像部２０３・定着部２０４へ搬送する。シートは作像部２０３の転写ドラムに巻きつけられ、４回転した後に定着部２０４へ搬送される。４回転する間に前述のＹＭＣＫ各色のトナー像がシートに転写される。また、シートの両面に画像形成する場合は、定着部２０４を通過したシートを再度作像部２０３へ搬送する搬送経路を通るように制御する。
【００２７】
定着部２０４から排出されたシートは、インラインフィニッシャが接続されている場合には、インラインフィニッシャ部に入る。インラインフィニッシャ部には、排紙先のトレイ２０６としてサンプルトレイ及びスタックトレイがあり、ジョブの種類や排出されるシートの枚数に応じて切り替えて排出される。
【００２８】
ソート方式には２通りあり、複数のビンを有して各ビンに振り分けるビンソート方式と、電子ソート機能とビン（または、トレイ２０６）を奥手前方向にシフトしてジョブ毎に出力シートを振り分けるシフトソート方式によるソーティングを行うことができる。電子ソート機能は、コレートと呼ばれ、コア部に大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００２９】
さらに、出力すべきジョブに対してステープルモードが設定されている場合には、スタックトレイに排出するよう制御する。その際には、シートがスタックトレイに排出される前に、シートをジョブ毎にフィニッシャ内部の処理トレイに順次蓄えておき、該処理トレイ上にてステープラにてバインドして、その上で、スタックトレイへ、該記録紙束を束排出する。
【００３０】
ＭＦＰ制御部３００は、印刷装置１０２全体の制御を実行すると共に、前述のスキャナ、レーザ露光、作像、定着、給紙／搬送の各部の状態を管理しながら、全体が調和を保って円滑に動作できるよう指示を行う。
【００３１】
また、本システムの構成に関し、構成に含まれる画像形成装置は複数あっても構わないし、複数の画像形成装置を組み合わせた構成でも構わない。また、画像形成装置とプリント機能のみを具備した単一機能型の画像形成装置等のＳＦＰ（Ｓｉｎｇｌｅ  Ｆｕｎｃｔｉｏｎ  Ｐｅｒｉｐｈｅｒａｌ：単一機能周辺機器）を組み合わせた構成でも良いし、情報処理装置（作業ＰＣ１０５）を組み合わせた構成でも良い。いずれにしても、本形態の制御が実現可能な構成であればよい。
【００３２】
図３は、図２に示す本発明の実施の形態に係る画像形成装置である印刷装置１０２、に備わるＭＦＰ制御部３００の構成を示すブロック図である。
【００３３】
同図において、３０４、３０５、３０６、３０７、３０８、３０９、３１０、３１１、３１２はＭＦＰ制御部３００を構成する処理モジュールである。これらの処理モジュールは、ＣＰＵ３０１で使用されるアプリケーションプログラム、又はプログラムの一部として動作するモジュールであり、出力処理を実行するため出力制御部と総称される場合もある。
【００３４】
同図において、３１３とその一部である３１３１はＭＦＰ制御部３００を構成する情報格納装置であり、ファイルシステム又はデータベースシステムを用いて不揮発性のハードディスクや、メモリなどが情報を格納する。また、情報格納装置３１３に格納された情報へは、特定のキーや条件でアクセスが可能である。
【００３５】
ＣＰＵ３０１は、印刷装置１０２の全体を制御し、メモリ３０２や情報格納装置３１３に格納されているプログラムを読み出して実行することによりスキャン、プリント、ファクシミリなどの動作を実現する。
【００３６】
メモリ３０２は、ＣＰＵ３０１が実行する各種プログラムを記憶するＲＯＭや、制御などに必要なデータを一時的に格納するＲＡＭなどから構成される。プログラムは、スキャナ制御部３０４、プリンタ制御部３０５、操作制御部３０６、画像処理部３０７、ジョブ解析部３０８、後加工処理単位算出部３０９、後加工処理単位シフト制御部３１０、複合処理単位解析部３１１、複合処理単位シフト制御部３１２等である。
【００３７】
外部インターフェース３０３は、ネットワーク１０１や着脱可能な外部記憶装置（ここでは図示しない）などを介して外部の作業ＰＣ１０５やニアライン後加工機１０３との間で情報をやりとりする。
【００３８】
スキャナ制御部３０４は、ＣＰＵ３０１からの指示に従ってスキャナ部２０１を駆動し、原稿台上の原稿を読み取り、読み取った原稿をメモリ３０２に格納する。
【００３９】
プリンタ制御部３０５は、ＣＰＵ３０１からの指示に従って、メモリ３０２や情報格納装置３１３などから画像データを取得し、レーザ露光部２０２、作像部２０３、定着部２０４、給紙／搬送部２０５などを制御して記録紙に画像を印刷する。
【００４０】
操作制御部３０６は、ＣＰＵ３０１からの指示に従って、印刷装置１０２に備わりタッチパネル部やキー入力部からなる操作部を制御する。これらをオペレータが操作することにより発せられた情報が各部に伝えられ、印刷装置１０２が稼動する。
【００４１】
画像処理部３０７は、ＣＰＵ３０１からの指示に従って、操作制御部３０６などを介してオペレータから指示された画像処理や画質向上のための処理や、スキャナ制御部３０４がメモリ３０２に格納した画像データの解析を行う。また、画像処理部３０７は、ファクシミリ送信時に送信先の能力に合わせて送信する画像データの解像度や用紙サイズなどの変換も行う。
【００４２】
ジョブ解析部３０８は、ＣＰＵ３０１からの指示に従って、操作制御部３０６や作業ＰＣ１０５からネットワーク１０１を介して指示された印刷ジョブの作業指示内容の解析を行う。ジョブ解析部３０８が解析する印刷ジョブは、印刷物における描画内容を示す描画データと印刷設定情報である作業指示情報とを含む。なお、作業指示情報の一例としては、ＪＤＦ（Ｊｏｂ  Ｄｅｆｉｎｉｔｉｏｎ  Ｆｏｒｍａｔ）と呼ばれるジョブの作業指示を記載したジョブチケットを利用する場合が挙げられる。作業ＰＣ１０５、印刷装置１０２、ニアライン後加工機１０３の間でジョブチケットを利用した情報交換を行うことより、ジョブを転送したり、制御コマンドを発行したりして、機器を連携した印刷ワークフローを実現している。ジョブ解析部３０８は、ジョブチケットの情報を解析し、該ジョブの印刷出力後の後加工処理の内容と、該後加工処理を行う後加工装置（例えばニアライン後加工機１０３）の情報を取得する。
【００４３】
後加工処理単位算出部３０９は、ＣＰＵ３０１からの指示に従って、ジョブ解析部３０８が取得したニアライン後加工機１０３の情報に基づいて、該ジョブにて用いられる用紙での後加工処理単位となる枚数を計算する。つまり、後加工処理単位算出部３０９は、一度に後加工機にセットすることができる用紙枚数を導出する。
【００４４】
後加工処理単位シフト制御部３１０は、ＣＰＵ３０１からの指示に従ってプリンタ制御部３０５と連動して動作し、トレイ２０６に排紙する際に、後加工処理単位算出部３０９が算出した該ジョブにおける後加工処理単位の記録紙枚数にてシフト排紙を行う。
【００４５】
複合処理単位解析部３１１は、ＣＰＵ３０１からの指示に従って動作し、後加工処理単位算出部３０９が算出した該ジョブにおける後加工処理単位の記録紙枚数と、該ジョブの部単位の用紙枚数に一定の閾値以上の差異があるかどうかを判定する。該閾値は、情報格納装置３１３内の後加工処理装置情報記憶部３１３１に「複合処理単位シフト判断閾値」として予め登録されている。該閾値の例としては、「後加工処理単位と部単位の枚数の差異が２倍」などが挙げられる。
【００４６】
複合処理単位シフト制御部３１２は、トレイ２０６に排紙する際に、複合処理単位解析部３１１が設定した該複合処理単位設定に従って、前記後加工処理単位でのシフト排紙と同時に、部単位の記録紙束仕切り出力を行う。
【００４７】
後加工処理装置情報記憶部３１３１は、ニアライン後加工機１０３やオフライン後加工機１０４の情報が登録されている。後加工処理装置情報記憶部３１３１に登録される情報には、後加工機の名称、種別、ＩＰアドレス、一度に加工可能な紙厚、加工を行う領域情報などがある。また、複合処理単位解析部３１１が後加工処理単位でのシフトと部単位での記録紙束仕切りを設定する際の判断基準となる「複合処理単位シフト判断閾値」も後加工処理装置情報記憶部３１３１に登録される。
【００４８】
なお、後加工処理装置情報記憶部３１３１は、本実施例では印刷装置１０２のＭＦＰ制御部３００内の情報格納装置３１３に保存されていなくても良く、ネットワーク１０１で接続する作業ＰＣ１０５内の記憶部などに保存されていても構わない。
【００４９】
内部バス３１４は、それぞれ各部を接続するものであり、この内部バス３１４を介して画像データの転送や各部に対する指示や設定値などの送受信が行われる。
【００５０】
図４は、後加工処理単位でのシフト排紙を行うための排紙指定画面４００の例である。
【００５１】
排紙指定画面４００は、オペレータが、印刷装置１０２の操作部を操作して印刷ジョブの設定を行う際、および印刷ジョブの設定を確認する際に表示される画面の例である。排紙指定画面４００に表示される項目は、後加工処理装置情報記憶部３１３１に登録されており、後加工処理単位算出部３０８、複合処理単位解析部３１１が、印刷出力時のシフト制御を行うために使用される。なお、本願では、図４の排紙指定画面４００が印刷装置１０２の操作部に表示されるものとして説明をするが、印刷ジョブを発行する作業ＰＣにおいて表示されても構わない。その場合、排紙指定画面４００は、印刷ジョブを生成するプリンタドライバや、ジョブチケットを作成するためのソフトによって提供される。また、作業ＰＣにおいて図４が表示された場合、図４を介して設定された内容は印刷ジョブ内の印刷設定情報に記述される。
【００５２】
後加工処理単位シフトボタン４０１は、後加工処理単位でのシフト出力を行う場合に押下される。
【００５３】
部単位仕切り紙挿入ボタン４０２は、後加工処理単位シフトボタン４０１が選択状態の場合に表示され、後加工処理単位でのシフト排紙と同時に、部単位での仕切り紙を挿入する際に押下される。
【００５４】
仕切り紙設定ダイアログ４０３は、部単位仕切り紙挿入ボタン４０２が選択状態の場合に表示され、部単位での記録紙束の区切りに挿入する仕切り紙の挿入方法を設定する。本実施例では、該仕切り紙の挿入方法として、仕切り紙を一枚シフトする設定の「仕切り紙シフト」ボタンと、仕切り紙を９０度回転させて挿入する「仕切り紙回転」ボタンと、仕切り紙を色紙、異サイズ用紙などから選択する「仕切り紙指定」ボタンを表示している。各ボタンを押下することにより、仕切り紙の挿入方法が設定される。
【００５５】
画像回転ボタン４０４は、仕切り紙設定ダイアログ４０３にて「仕切り紙シフト」が選択された場合に表示される。画像回転ボタン４０４を選択することにより、後加工処理単位の記録紙束ごとに画像が１８０度回転して印刷される。なお、画像反転ボタン４０４が押された場合の出力結果を含めた内容については図９において後述する。
【００５６】
シフト幅変更ボタン４０５は、後加工処理単位シフトボタン４０１が選択状態の場合に表示され、後加工処理単位でのシフト排紙の際のシフト幅と、部単位でのシフト幅を変えてシフト排紙する場合に押下される。例えば、オペレータは、シフト幅変更ボタン４０５を用いることにより、後加工単位でのシフト幅と部単位でのシフト幅とで異なるシフト幅を設定できる。
【００５７】
キャンセルボタン４０６は、排紙指定画面４００にて表示されている設定を該ジョブに反映することをキャンセルする場合に押下される。
【００５８】
ＯＫボタン４０７は、排紙指定画面４００にて表示されている設定を該ジョブに反映する場合に押下される。
【００５９】
図５は、印刷装置１０２での印刷ジョブの出力後に後加工処理を行う後加工機の情報を印刷装置１０２の後加工処理装置情報記憶部３１３１に登録するための後加工機設定画面５００の例である。
【００６０】
後加工機設定画面５００は、オペレータが、印刷装置１０２の操作部に表示される。オペレータは、後加工機設定画面５００を用いて、印刷出力後の後加工を行うニアラインやオフラインの後加工機を登録、設定、確認できる。オペレータは本画面を用いて、ニアライン後加工機１０３、オフライン後加工機１０４などに関する情報を予め登録しておく。この登録により、ジョブ解析部３０８が印刷ジョブを解析する際に、該ジョブに含まれる後加工情報を解析し、後加工処理単位算出部３０９や複合処理単位解析部３１１が後加工処理単位の算出とそれに応じた記録紙束のシフト排紙方法を決定する。
【００６１】
名称５０１は、登録される後加工機の表示上の名称を文字列で設定する。
【００６２】
種別５０２は、登録される後加工機の種類を文字列で設定する。
【００６３】
ＩＰアドレス５０３は、登録される後加工機がネットワーク経由で接続可能なニアライン後加工機の場合に、ネットワーク１０１経由で接続する際のアドレスを登録する。本実施例では、アドレスの一例としてＩＰアドレスの場合を挙げているが、その他を用いても構わない。
【００６４】
加工幅設定５０４は、後加工機において実行される記録紙束の４辺に対する加工処理幅と、一度に加工可能な厚さを数値で設定するために表示される。
【００６５】
加工幅設定５０４を用いて設定された厚さ（図５の例では「Ｅ」の「１５ｍｍ」）の数値を元にして、後加工処理単位算出部３０９が印刷ジョブで用いられる用紙種類における後加工処理単位を算出する。また、ここで設定された加工幅（図５の例では「Ａ」の「２０ｍｍ」）の数値を元にして、複合処理単位解析部３１１が後加工処理単位シフトと同時に部単位の仕切り紙挿入を行う際に、仕切り紙が加工幅の範囲に含まれない様に仕切り紙サイズの調整を行う。
【００６６】
詳細ボタン５０５は、後加工機に関する詳細な情報を設定する後加工機詳細設定画面を起動するために使用される。後加工機詳細設定画面はここでは図示しない。
【００６７】
機器情報取得ボタン５０６は、登録対象の後加工機がネットワーク１０１で接続されるニアライン後加工機である場合に、機器構成情報を問い合わせる際に押下される。該当のニアライン後加工機が外部からの機器構成情報の問い合わせに応答する機器の場合、印刷装置１０２は、取得した機器構成情報を後加工機設定画面５００の該当の各項目に表示する。
【００６８】
ＯＫボタン５０８は、後加工機設定画面５００で表示した内容で、印刷装置１０２に登録する際に押下される。本画面で設定された後加工機の情報は、後加工処理装置情報記憶部３１３１に登録される。
【００６９】
キャンセルボタン５０９は、後加工機設定画面５００で表示した内容での設定、更新を行わない場合に押下される。
【００７０】
なお、作業ＰＣ１０５などの外部装置が、印刷装置１０２での印刷ジョブの出力後の次工程にて後加工処理を行う後加工機の情報を印刷装置１０２の後加工処理装置情報記憶部３１３１に登録しても構わない。
【００７１】
図６は、ＭＦＰ制御部３００の複合処理単位解析部３１１が印刷ジョブを解析し、後加工処理単位でのシフト排紙と部単位での仕切り紙挿入を行うことによりトレイ２０６に排紙される印刷物の出力結果を模式的に表した図である。この制御は、複合処理単位シフト制御部３１２がフィニッシャ部に指示することにより実施される。
【００７２】
図６は、部単位６０１よりも後加工処理単位６０２の方が大きい場合の模式図であり、部の単位として仕切り紙６０３がシフトして挿入されて部単位の記録紙束の仕切りを行い、後加工処理単位でシフトすることにより、後加工処理単位での区切りを行っている。
【００７３】
図７は、図６と同様に、複合処理単位解析部３１１が印刷ジョブを解析し、後加工処理単位でのシフト排紙と部単位での仕切り紙挿入を行うことによりトレイ２０６に排紙される印刷物の出力結果を模式的に表した図である。
【００７４】
図７は、部単位７０２よりも後加工処理単位７０１の方が小さい場合の模式図であり、後加工処理単位でシフトすることにより後加工処理単位での区切りを行い、部の単位に仕切り紙７０３が一枚シフトして挿入されることにより、部単位での仕切りを行っている。
【００７５】
図８は、複合処理単位解析部３１１が印刷ジョブを解析し、後加工処理単位８０１でのシフト排紙と部単位８０２でのシフト排紙のシフト幅を変えて排紙することによりトレイ２０６に排紙される記録紙の出力結果を模式的に表した図である。この制御は、複合処理単位シフト制御部３１２がフィニッシャ部にシフト幅を変更して排紙するよう指示することにより実施される。
【００７６】
図８で図示するように、複合処理単位シフト制御部３１２が制御することにより、部単位でのシフトの区切りが明確になるように、記録紙の排紙方向が逆になるように記録紙束の排紙を実施する。ただし、図８のような処理は、印刷装置が任意のシフト幅に基づいてシフト処理できる機能を備えている場合に限られる。
【００７７】
図９は、複合処理単位解析部３１１が、次工程の後加工機への紙束の設置向きを同一とすることを目的として、後加工処理単位で出力画像を反転して印刷する際の出力結果を模式的に表した図である。
【００７８】
例えば印刷装置が、１つの方向に１つのシフト幅だけシフトする機能を持っている場合であっても、この反転機能を用いることにより、オペレータは後加工機へ印刷物を設置する際に同じ画像向きで印刷物を設置できるようになる。
【００７９】
ここで、図９の反転機能を用いない場合の出力結果を図１０に示す。上述したように印刷装置が、１つの方向に１つのシフト幅だけシフトする機能を備える場合、１つ目の後加工単位では右側に仕切り紙がはみ出している。
【００８０】
続いて、２つ目の後加工単位を出力する際、印刷装置は１つ目と２つ目の後加工単位を識別可能とするために印刷物を右方向にシフトしながら出力する。さらに、印刷装置は、部単位を識別可能とするために、２つ目の後加工単位内においても部と部の間に仕切り紙をシフトすることなく挿入する。その結果、２つ目の後加工単位は印刷物に対して左側に仕切り紙がはみ出すことになる。
【００８１】
また、３つ目の後加工単位を出力する際、２つ目の後加工単位と識別しやすくするためにシフト制御と仕切り紙を挿入した結果、印刷物はシフトすることなく出力され、仕切り紙はシフト処理して出力される。
【００８２】
印刷装置による印刷が終わった場合、オペレータは図１０の印刷物を後加工機にセットすることになるが、２つ目の後加工単位では加工辺に仕切り紙が置かれている。そのため、例えば加工辺においてパンチ処理が適用される場合、仕切り紙までもが本文と共に穴が空けられてしまい、実際に穴を空けるべき印刷物に穴を空けることができなくなるおそれがある。
【００８３】
ところが、オペレータが、図９のように反転処理が適用された印刷物を後加工機にセットする場合、２つ目の後加工単位を反転させてセットするだけで、加工辺に仕切り紙が侵入する課題を解消できる。その結果、仕切り紙までもが印刷物と共に綴じられてしまうという課題を解消できる。さらに、印刷物の方向が揃った形で後加工処理が適用される。
【００８４】
また、図９のように部単位に仕切り紙が挿入され、かつ、後加工単位でシフト処理が適用されることにより、ユーザは出力結果９０２を後加工単位にセットして一括で穴を空け、かつ、仕切り紙を用いることで容易に部単位に仕分けることも可能となる。
【００８５】
図１１は、後加工処理単位でのシフト排紙と部単位での仕切り紙挿入による出力が実行される場合において、次工程の後加工機での後加工幅１００２に仕切り紙が侵入しないように仕切り紙の用紙サイズを小さいものに変更する場合の例を模式的に表した図である。ここでは、オフライン後加工機１０４の一例としてマニュアル穿孔機１００１を挙げている。
【００８６】
図１１で示すように、記録紙（例えばＡ４サイズとする）よりも小さなサイズの仕切り紙（例えばＡ５サイズ）の仕切り紙をシフトさせて挿入することにより、仕切り紙ずれ幅１００３の幅が拡大する。その結果、マニュアル穿孔機１００１に記録紙束を設置し穴あけを行っても仕切り紙に対して穴あけ処理は適用されないので、穴あけ処理前に仕切り紙を取り除く必要がなくなる。
【００８７】
なお、図１１の処理が適用できる条件は、シフト方向が右方向である場合、シフトの基準として用紙の右端１００５を用いる印刷装置において印刷する場合に限られる。もし、シフト方向が左方向である場合は、シフトの基準として用紙の左端１００４を用いる印刷装置において印刷する場合に限られる。
【００８８】
よって、図１１の機能については、印刷装置の機能により設定できる場合とできない場合とがある。また、図１１はシフト処理を適用しても、仕切り紙が後加工幅内に侵入する場合に、印刷装置が図１１の処理を実行する。
【００８９】
この処理を適用することで、仕切り紙にシフト処理を適用しても印刷物と仕切り紙との両者に後加工機による後加工処理が適用される（仕切り紙が加工幅内に侵入する）課題を解決できる。
【００９０】
図１２のフローチャートは、本発明の印刷装置１０２において、印刷ジョブ情報の解析から、後加工処理単位でのシフト出力を行うまでの一連の処理概要を説明するものである。以下のフローの各ステップは、印刷装置１０２のＣＰＵ３０１が各処理モジュールを制御することにより実施される。
【００９１】
ステップＳ１１０１において、印刷装置１０２は、情報格納装置３１３の文書格納領域であるボックスから文書を選択して印刷するための指示を受け付ける。なお、図１１では予め印刷装置１０２のボックスに保存されている文書を印刷対象として印刷する場合について説明する。しかしながら、作業ＰＣから印刷ジョブを受信して印刷する場合であっても良い。また、本フローチャートにおいては、オペレータにより印刷出力の指示として後加工処理単位でのシフト排紙が選択されたものとする。
【００９２】
ステップＳ１１０２において、ジョブ解析部３０８は、選択された文書に関連付けられたジョブ情報（例えばＪＤＦなどのジョブチケット）を解析する。ジョブ解析部３０８は、該ジョブの印刷設定情報（枚数、部数、用紙サイズ、用紙種類など）と、印刷出力後の後加工処理情報（例えば、左辺に２穴あけ）と、該後加工処理を行うのに適した後加工装置（例としてオフライン後加工機１０４）の情報を取得する。
【００９３】
ステップＳ１１０３において、ジョブ解析部３０８は、該ジョブの後加工処理を行うオフライン後加工機１０４の能力情報を後加工処理装置情報記憶部３１３１より取得する。取得されるオフライン後加工機１０４の能力情報には、図５にて説明した後加工機設定画面５００の加工幅設定５０４で例を挙げたような、後加工処理の処理単位（紙束の厚さ、加工辺の位置と加工幅）の情報等が含まれる。なお、Ｓ１１０３の取得処理はニアライン後加工機から情報を取得する処理も含む。
【００９４】
ステップＳ１１０４において、後加工処理単位算出部３０９が、後加工処理単位を算出する。後加工処理単位の算出は、ジョブ解析部３０８が、オフライン後加工機１０４の情報に含まれる処理可能な厚さを、Ｓ１１０２の解析により得られた印刷設定情報に含まれる用紙種類の用紙の厚さで割り算することにより、一度に処理可能な用紙枚数を導き出す。なお、本願では後加工処理単位を算出する例を用いて説明したがこの処理に限られる必要はない。例えば、印刷装置１０２が、後加工機と用紙種類ごとに後加工処理単位の用紙枚数を記憶しておいても良い。
【００９５】
ステップＳ１１０５において、印刷装置１０２は、該ジョブの印刷設定情報に含まれる部数の情報が複数部数であった場合にはステップＳ１１０６へ進み、部数が１部であった場合にはステップＳ１１２１へと進む。
【００９６】
ステップＳ１１２１において、後加工処理単位シフト制御部３１０が、プリンタ制御部３０５と連動してトレイ２０６に印刷して排紙する際に、ステップＳ１１０４にて算出された後加工処理単位にて印刷物をシフト出力する。
【００９７】
ステップＳ１１０６において、複合処理単位解析部３１１が、後加工単位が部単位よりも大きいか否かを判定する。
【００９８】
Ｓ１１０６において後加工単位が部単位よりも大きいと判定された場合、図１２の処理はステップＳ１１０７へ進む。
【００９９】
Ｓ１１０７において、複合処理単位解析部３１１が、該ジョブの部単位の枚数と、ステップＳ１１０４にて導き出した後加工処理単位の枚数とに閾値以上の差異があるか否か（特定の条件を満たすか否か）を判定する。なお、後加工処理装置情報記憶部３１３１に含まれる「複合処理単位シフト判断閾値」（例えば、枚数の差異が２倍）が閾値として使用される。
【０１００】
ここで、両者の差異が閾値以上でないと判定された場合（Ｓ１１０７−Ｎｏ）、プリンタ制御部３０５がトレイ２０６に印刷して排紙する際に、該ジョブの印刷設定情報に含まれる部単位にて印刷物をシフト出力する（Ｓ１１１５）。
【０１０１】
一方、両者の差異が閾値以上であると判定された場合（Ｓ１１０７−Ｙｅｓ）、ステップＳ１１０８において、複合処理単位シフト制御部３１２は、まず該ジョブの１部を印刷することにより得られる印刷物をシフトすることなくトレイ２０６へ排紙する。
【０１０２】
ステップＳ１１０９において、複合処理単位シフト制御部３１２は、１枚の仕切り紙をトレイ２０６へ排紙する際にシフト処理を適用する。仕切り紙として用いられる用紙は、オペレータの指示に従う用紙種類が用いられる。また、仕切り紙の種類は複合処理単位解析部３１１が予め設定されたルールに従って選定する場合もある。その一例として、図１１の模式図に示すように、記録紙束の辺における後加工機の後加工幅の領域にシフトして挿入した仕切り紙が入らないように、１サイズ小さい仕切り紙を選択する場合がある。なお、仕切り紙のサイズは１サイズ小さい場合に限らない。
【０１０３】
ステップＳ１１１０において、複合処理単位シフト制御部３１２は、該ジョブの１部の印刷物をシフト処理することなくトレイ２０６へ排紙する。なお、Ｓ１１０８、Ｓ１１１０ではシフト処理することなく記録紙束を出力すると記載したが仕切り紙と重ならなければ良いため、仕切り紙と逆方向にシフトして排紙しても、その他の方法でも良い。
【０１０４】
ステップＳ１１１１において、プリンタ制御部３０５はステップＳ１１０３において算出された後加工処理単位に相当する枚数が印刷されたか否かを判定する。ここで、後加工処理単位に相当する枚数が印刷されたと判定された場合、図１２の処理はステップＳ１１１２へと進み、まだ後加工処理単位まで到達していない場合にはステップＳ１１０９へと戻る。
【０１０５】
ステップＳ１１１２において、該ジョブの全部数分の印刷出力が完了した場合、プリンタ制御部３０５は、図１２のフローを終了する。一方、該ジョブの全部数分の印刷がまだ終わってない場合には、ステップＳ１１１３へと進む。
【０１０６】
ステップＳ１１１３において、複合処理単位解析部３１１は、該ジョブの印字向きを１８０度回転する。
【０１０７】
続けてステップＳ１１１９において、複合処理単位シフト制御部３１２は、１８０度回転された該ジョブの１部を印刷して記録紙束をトレイ２０６へ排紙する。このステップＳ１１１３とＳ１１１４の処理により、図９の模式図に示すように、次工程でオフライン後加工機１０４に後加工単位で記録紙束を設置する際に、シフトされた仕切り紙と加工辺と画像向きの関係を常に同じに保つことができる。なお、図４の画像回転ボタン４０４は、Ｓ１１０７においてＹｅｓと判定された場合に有効となるように制御されても良い。その場合、画像回転ボタン４０４は通常はグレーアウト等により指定できない状態となっている。また、Ｓ１１０７においてＹｅｓと判定された場合に自動的に画像回転ボタン４０４が指示された状態に遷移しても良い。
【０１０８】
ステップＳ１１１４での出力を終えたら、ステップＳ１１０９へと戻る。
【０１０９】
全部数の出力が完了するまで、ステップＳ１１０９〜ステップＳ１１１４の処理が繰り返され、その結果として図６の模式図で例を示したような記録紙束の積み方にてトレイ２０６への排紙が完了する。
【０１１０】
ステップＳ１１０６においてＮｏと判定された場合、ステップＳ１１１６では、複合処理単位シフト制御部３１２が、該ジョブの１後加工単位分を印刷して印刷物をトレイ２０６へシフトすることなく排紙する。
【０１１１】
ステップＳ１１１７において、複合処理単位シフト制御部３１２が、該ジョブのＳ１１１６において出力された後加工単位の次の後加工単位分の印刷物をシフトしてトレイ２０６へ排紙する。
【０１１２】
ステップＳ１１１８において、該ジョブのジョブ情報にて指定された部単位の枚数を印刷出力した場合にはステップＳ１１１９へと進む。一方、該ジョブのジョブ情報にて指定された部単位の枚数に到達していない場合には、ステップＳ１１１７へと戻る。
【０１１３】
ステップＳ１１１９において、該ジョブのジョブ情報にて指定された全部数分の出力が完了した場合、これにより一連のフローを終了する。一方、該ジョブの全部数分の印刷出力がまだ終わってない場合には、ステップＳ１１２０へと進む。
【０１１４】
ステップＳ１１２０において、複合処理単位シフト制御部３１２は、仕切り紙を印刷物に挿入すべく出力する。
【０１１５】
全部数の出力が完了するまで、ステップＳ１１１７〜ステップＳ１１２０の処理を繰り返し、その結果として図７の模式図で例を示したような記録紙束の積み方にてトレイ２０６への排紙が完了する。
【０１１６】
ここで、Ｓ１１０７において部単位に出力される用紙枚数と後加工単位の用紙枚数との差異が閾値以上あるか否かによってＳ１１１５に進むか、Ｓ１１０８に進むかを切り替える理由について具体例を用いて説明する。
【０１１７】
例えば、１部当たりの出力枚数が４枚であり、後加工単位の用紙枚数が５枚である場合を想定する。また、Ｓ１１０７の閾値は５枚であり、指定された部数は９部とする。
【０１１８】
１部当たりの出力枚数が４枚であり、後加工単位の用紙枚数が５枚である場合、両者の差異は１枚であるため、Ｓ１１１５に進むことになる。これは、後加工装置の給紙部に１度にセットできる用紙枚数が１部分（４枚）であるため部単位シフトすることで、オペレータはシフトされた部単位毎に印刷物を後加工装置にセットすれば良い。もちろん、後加工機は５枚の印刷物を１度にセットできるため、セットされる用紙枚数が必ず１部分（４枚）とは限らないが、５枚をセットすると１部目と２部目の１ページ目が混在されてしまう。通常、オペレータは印刷物をこのような形でセットしないと考えられるためＳ１１１５の処理が適用される。
【０１１９】
一方、１部当たりの出力枚数が４枚であり、後加工単位の用紙枚数が１２枚である場合を想定する。
【０１２０】
この場合、両者の差異は、８枚であるためＳ１１０８へと進む。その結果、図９のような出力結果が得られる。この場合、オペレータは１度に３部分（１２枚）の印刷物を後加工装置にセットできるため、セットする回数が３回で済む。
【０１２１】
もし、１部当たりの出力枚数が４枚であり、後加工単位の用紙枚数が１２枚である場合に部単位シフトのみが実行されると、オペレータは後加工単位が認識できないため１部分しか後加工装置にセットできなくなる。その結果、オペレータは９回のセット処理を行わなければならなくなる。
【０１２２】
このように、Ｓ１１０７の処理があることによりオペレータの作業を簡素化することが可能となる。
【０１２３】
なお、本願では、例えばＳ１１０８をシフトしないで出力し、Ｓ１１０９をシフトして出力すると記載したが、当然逆であっても構わない。これは、他のステップにおいても同様である。
【実施例２】
【０１２４】
実施例１では、後加工単位の用紙枚数より１部当たりの用紙枚数が多いと判定された場合（Ｓ１１０６―Ｎｏ）、後加工単位にシフト処理する例について説明した。しかしながら、後加工単位でシフトすると複数の部の印刷物が１つの後加工単位に含まれるおそれがある。
【０１２５】
そこで、本実施例では、後加工単位にシフトすると共に部単位にもシフトする例について説明する。
【０１２６】
実施例１の図１２のＳ１１０６においてＮｏと判定された場合、Ｓ１１１６において、複合処理単位シフト制御部３１２が、該ジョブの１後加工単位分を印刷して印刷物をトレイ２０６へシフトすることなく排紙する。
【０１２７】
その後、Ｓ１３１０において、複合処理単位シフト制御部３１２が、１部の用紙枚数から後加工単位の用紙枚数を減算し、Ｓ１３１１においてその減算結果が後加工単位の用紙枚数より多いか否かを判定する。
【０１２８】
ここで、多いと判定された場合（Ｓ１３１１−Ｙｅｓ）、複合処理単位シフト制御部３１２が、Ｓ１１０６の印刷物と異なる位置に出力されるように次の後加工単位についてシフトして出力する（Ｓ１３１４）。
【０１２９】
続いて、複合処理単位シフト制御部３１２は、１部の用紙枚数からここまで出力した用紙枚数を減算して（Ｓ１３１０）、再度Ｓ１３１１の判定処理を実行する。
【０１３０】
一方、Ｓ１３１１においてＮｏと判定された場合、複合処理単位シフト制御部３１２は全ての部について処理が終了したかを判定し、終わっていなければＳ１３１４からＳ１３１０へと処理を実行する。
【０１３１】
ここで、図１３の処理について図１４の具体例を用いて説明する。
【０１３２】
後処理機の後加工単位が５枚であり、１部当たりの用紙枚数が７枚とする。さらに、印刷ジョブにおいて３部の出力が指定されているとする。
【０１３３】
この場合、印刷装置は、まず後加工単位である５枚についてシフトすることなく出力する（Ｓ１１１６）。
【０１３４】
その後、１部あたりの用紙枚数（７枚）から後加工単位（５枚）を減算した結果（２枚）が、後加工単位（５枚）より少ないと判定されるため（Ｓ１３１１−Ｎｏ）、印刷装置は減算した結果である２枚についてシフトして出力する（Ｓ１３１２）。
【０１３５】
以上の処理を３部分実行し、部単位に仕切り紙を挿入した結果が図１４である。
【０１３６】
このように、後加工単位と部単位との両者で分割することにより、オペレータは容易に後加工単位と部単位を認識しながら後処理に印刷物をセットすることが可能となる。
【０１３７】
なお、本発明は、上記形態の機能を実現するソフトウェアのプログラムコードを記憶した記憶媒体（又は記録媒体）がシステム又は装置に供給される。そして、そのシステム又は情報処理装置（又はＣＰＵ等）が記憶媒体に格納されたプログラムコードを読み出して実行することによって達成されても良い。
【０１３８】
この場合、記憶媒体から読み出されたプログラムコード自体が上記実施の形態の機能を実現することになり、そのプログラムコードを記憶した記憶媒体は本発明を構成することになる。また、情報処理装置が読み出したプログラムコードを実行することにより、情報処理装置上で稼働しているオペレーティングシステム（ＯＳ）などが処理の一部又は全部を行い、その処理によって上記の機能が実現されても良い。
【０１３９】
さらに、記憶媒体から読み出されたプログラムコードが、情報処理装置の記憶媒体に書込まれた後、ＣＰＵ等が実際の処理の一部又は全部を行い、その処理によって前述した実施形態の機能が実現されても良い。
【０１４０】
また、本発明は、上記実施の形態の機能を実現するプログラムコードがネットワークを介して配信されることにより、記憶媒体に格納され、そのシステム又は装置の情報処理装置（又はＣＰＵ等）がそのプログラムコードを読み出して実行しても良い。
【図面の簡単な説明】
【０１４１】
【図１】画像形成システムの全体構成の一例を示す図
【図２】印刷装置の内部構成の一例を示す図
【図３】ＭＦＰ制御部
【図４】排紙指定画面の一例を示す図
【図５】後加工設定画面の一例を示す図
【図６】複合処理単位シフト（後加工単位＞部単位）の一例を示す図
【図７】複合処理単位シフト（後加工単位＜部単位）の一例を示す図
【図８】複合処理単位シフト（シフト幅変更）の一例を示す図
【図９】複合処理単位シフト（画像回転）の一例を示す図
【図１０】複合処理単位シフト（画像回転なし）の一例を示す図
【図１１】複合処理単位シフト（仕切り紙サイズ調整）の一例を示す図
【図１２】複合処理単位シフトのフローチャート
【図１３】複合処理単位シフトのフローチャート
【図１４】実施例２における出力結果の一例を示す図
【符号の説明】
【０１４２】
１０１  ネットワーク
１０２  印刷装置
１０３  ニアライン後加工機
１０４  オフライン後加工機
１０５  作業ＰＣ
【図１】
0005279348.tif 000002
【図２】
0005279348.tif 000003
【図３】
0005279348.tif 000004
【図４】
0005279348.tif 000005
【図５】
0005279348.tif 000006
【図６】
0005279348.tif 000007
【図７】
0005279348.tif 000008
【図８】
0005279348.tif 000009
【図９】
0005279348.tif 000010
【図１０】
0005279348.tif 000011
【図１１】
0005279348.tif 000012
【図１２】
0005279348.tif 000013
【図１３】
0005279348.tif 000014
【図１４】
0005279348.tif 000015